(57)【要約】【課題】各居室の換気風量を均一にするため、集風部材が別途必要となるが、集風部材の形状特性により各居室の換気風量は固定され、換気風量を変更することができず、各居室へ配設される内径が略φ５０ｍｍのダクトを直接換気装置本体に接続すると各居室への風量が均一に確保できなく、生活に応じ必要な換気風量を各居室毎で適宜調節できないという課題があった。【解決手段】廊下または階段ホールの天井裏にファンモーター２を備えた換気装置３を設置し、住宅の外壁に排気ダクトを介して換気装置３と連通する吹き出し口を設け、各居室に略φ５０ｍｍの吸込みダクト１３を介して換気装置３と連通する吸込み口を設けた住宅用換気システムであって、換気装置３内部に前記各居室毎に調節可能な電動ダンパー２７を備えることにより、各居室への風量を均一にできる住宅用換気システムを提供できる。【選択図】図２
2007212026.tif 000002
【特許請求の範囲】
【請求項１】
複数の居室を有する住宅において、廊下または階段ホールの天井裏に、内部にファンモーターを備えた換気装置を設置し、前記住宅の外壁に排気ダクトを介して前記換気装置と連通する吹き出し口を設け、複数の前記居室に、吸込みダクトを介して前記換気装置と連通する吸込み口と、室外と連通し外気を給気する自然給気口を設けた住宅用換気システムであって、前記吸込みダクトの径を略φ５０ｍｍとし、前記換気装置本体内部に各前記居室毎に風量の調節可能な風量調節機構を設ける構成を特徴とする住宅用換気システム。
【請求項２】
風量調節機構を、吸込みダクトを接続する吸込みダクト接続口に設ける構成を特徴とする請求項１記載の住宅用換気システム。
【請求項３】
風量調節機構を、手動にて可動する手動ダンパーにより吸込み口の開口面積を任意に制御する構成を特徴とする請求項１または２記載の住宅用換気システム。
【請求項４】
風量調節機構を、電動にて可動する電動ダンパーにより吸込みダクト接続口の開口面積を任意に制御する構成を特徴とする請求項１または２記載の住宅用換気システム。
【請求項５】
風量調節機構を、電動ダンパーの上流側と下流側において検知した空気圧力差により前記電動ダンパーを制御する構成を特徴とする請求項１、２、４のいずれかに記載の住宅用換気システム。
【請求項６】
特定の居室の換気風量を増減した時に換気システムの総風量を自動的に一定に維持できる構成を特徴とする請求項１、２、４、５のいずれかに記載の住宅用換気システム。
【請求項７】
居室に設けた人感センサーにより電動ダンパーを制御することで、前記居室の換気風量を増減する構成を特徴とする請求項４または５記載の住宅用換気システム。
【請求項８】
居室または吸込みダクト接続部に設けた検知装置により電動ダンパーを制御することで、前記居室の換気風量を増減する構成を特徴とする請求項１、２、４、５のいずれかに記載の住宅用換気システム。
【請求項９】
検知装置に、炭酸ガスを検知する炭酸ガス検知部を設けた構成を特徴とする請求項８記載の住宅用換気システム。
【請求項１０】
検知装置に、温度を検知する温度検知部を設けた構成を特徴とする請求項８記載の住宅用換気システム。
【請求項１１】
検知装置に、湿度を検知する湿度検知部を設けた構成を特徴とする請求項８記載の住宅用換気システム。
【請求項１２】
検知装置に、塵埃を検知する塵埃検知部を設けた構成を特徴とする請求項８記載の住宅用換気システム。
【請求項１３】
風量調節機構を、略振り子状の受風板よりなる構成を特徴とする請求項１または２記載の住宅用換気システム。
【請求項１４】
換気装置本体下面に、風量調節機構の操作部を設けた構成を特徴とする請求項１〜８、１３のいずれかに記載の住宅用換気システム。
【発明の詳細な説明】
【技術分野】
【０００１】
本発明は、ダクトを介して複数の居室の換気を行う住宅用換気システムに関する。
【背景技術】
【０００２】
従来、この種の住宅用換気システムは、複数の居室内の空気を換気装置に備えたダクトを介して吸込み、室外へ強制排出するものが知られている（例えば、特許文献１参照）。
【０００３】
以下、その住宅用換気システムについて図７を参照しながら説明する。
【０００４】
図に示すように、換気を必要とする各階の部屋に吸込み口１０１を設け、各階毎にそれぞれの吸込み口１０１と連通する略φ５０ｍｍのダクト１０２の接続される吸込みダクト接続口１０３と略φ１００のダクト１０４の接続される吐出口１０５を有した集風器１０６を各階の天井裏１０７に設け、室外１０８と連通し設けられる１台の排気用の送風装置１０９を略φ１００のダクト１０４を介して各階の集風器１０６と接続し、各階の吸込み口１０１よりほぼ同一の風量で換気を行う構成としていた。
【特許文献１】特開平１０−１７００４９号公報
【発明の開示】
【発明が解決しようとする課題】
【０００５】
このような従来の住宅用換気システムでは、各居室の換気風量を均一にするための集風部材が別途必要となり、施工費や部材費などでコスト高となるという課題がある。
【０００６】
また、各居室毎に適正な風量調節ができないという課題がある。
【０００７】
また、各居室へ配設される略φ５０ｍｍのダクトを直接換気装置本体に接続すると各居室への風量が均一に確保できないという課題がある。
【０００８】
また、集風器の形状特性により各居室の換気風量は固定され、換気風量を変更することができず、例えば、生活に応じ必要な換気風量を各居室毎などで適宜調節できないという課題がある。
【０００９】
本発明は、このような従来の課題を解決するものであり、集風部材などが不要となり、部材費などのコストが低減でき、また、各居室への風量を均一に確保することや、生活に応じ必要な換気風量を各居室毎に適宜調節できる住宅用換気システムを提供することを目的としている。
【００１０】
また、各居室へ配設される内径が略φ５０ｍｍのダクトを、必要な換気風量を各居室毎に適宜調節できる換気装置本体に直接接続することで施工費が低減できる住宅用換気システムを提供することを目的としている。
【課題を解決するための手段】
【００１１】
本発明の住宅用換気システムは上記目的を達成するために、複数の居室を有する住宅において、廊下または階段ホールの天井裏に、内部にファンモーターを備えた換気装置を設置し、前記住宅の外壁に排気ダクトを介して前記換気装置と連通する吹き出し口を設け、複数の前記居室に、吸込みダクトを介して前記換気装置と連通する吸込み口と、室外と連通し外気を給気する自然給気口を設けた住宅用換気システムであって、前記吸込みダクトの径を略φ５０ｍｍとし、前記換気装置本体内部に各前記居室毎に風量の調節可能な風量調節機構を設けるとしたものである。
【００１２】
この手段により、集風部材などが不要となり、部材費などのコスト低減ができ、また、各居室へ配設される内径が略φ５０ｍｍのダクトを直接換気装置本体に接続することで施工費が低減できる、また、各居室への風量を均一に確保することや、住宅の吸込みダクト長や曲がり数などに起因する圧力損失に影響されず必要な換気風量を各居室毎に適宜調節できる住宅用換気システムが得られる。
【００１３】
また、他の手段は、風量調節機構を、吸込みダクトを接続する吸込みダクト接続口に設けるとしたものである。
【００１４】
この手段により、吸込み口に風量調節機構を設けた場合は、風量調節機構から発生した騒音が直接室内へ伝わることになるが、換気装置内部に風量調節機構を備えることで直接居室への騒音が伝わることがなくなり、居室内の快適性を向上することができる住宅用換気システムが得られる。
【００１５】
また、他の手段は、風量調節機構を、手動にて可動する手動ダンパーにより吸込み口の開口面積を任意に制御することとしたものである。
【００１６】
この手段により、居住者が生活に応じ必要な換気風量を各居室毎に適宜調節できる住宅用換気システムが得られる。
【００１７】
また、他の手段は、風量調節機構を、電動にて可動する電動ダンパーにより吸込みダクト接続口の開口面積を任意に制御するとしたものである。
【００１８】
この手段により、居住者が生活に応じ必要な換気風量を遠隔操作にて各居室毎に適宜調節できる住宅用換気システムが得られる。
【００１９】
また、他の手段は、風量調節機構を、電動ダンパーの上流側と下流側において検知した空気圧力差により前記電動ダンパーを制御するとしたものである。
【００２０】
この手段により、空気圧力差より求めた風量をもとに電動ダンパーを調節することで、ダクト長や曲がり数などに起因する圧力損失、外風圧に影響されず適切な風量を送風することができる住宅用換気システムが得られる。
【００２１】
また、他の手段は、特定の居室の換気風量を増減した時に換気システムの総風量を自動的に一定に維持できることとしたものである。
【００２２】
この手段により、居住者が特定の居室の風量を増減させた場合でも過度な送風または必要風量を下回る送風をすることなく一定風量で送風を行うため、省エネ効果を高めることができる住宅用換気システムが得られる。
【００２３】
また、他の手段は、居室に設けた人感センサーにより電動ダンパーを制御することで、前記居室の換気風量を増減するとしたものである。
【００２４】
この手段により、居住者が不在の居室の換気風量を抑制させ、居住者が在室の居室に適切な換気を行うことで効果的な換気を行うことができ、結果として、省エネ効果を高めることができる住宅用換気システムが得られる。
【００２５】
また、他の手段は、居室または吸込みダクト接続部に設けた検知装置により電動ダンパーを制御することで、前記居室の換気風量を増減するとしたものである。
【００２６】
この手段により、検知装置の検出値により必要風量を推定し換気風量を制御することで適切な換気を行うことで効果的な換気を行うことができ、結果として、省エネ効果を高めることができる住宅用換気システムが得られる。
【００２７】
また、他の手段は、検知装置に、炭酸ガスを検知する炭酸ガス検知部を設けた
としたものである。
【００２８】
この手段により、居住者の人数により居室の換気風量を制御することで、適切な換気を行うことで効果的な換気を行うことができ、結果として、省エネ効果を高めることができる住宅用換気システムが得られる。
【００２９】
また、他の手段は、検知装置に、温度を検知する温度検知部を設けたとしたものである。
【００３０】
この手段により、夏季に日射により特定の居室内の室温が高まった場合に、特定の居室の風量を制御することで室温を下げることができる住宅用換気システムが得られる。
【００３１】
また、他の手段は、検知装置に、湿度を検知する湿度検知部を設けたとしたものである。
【００３２】
この手段により、梅雨時の湿気により特定の居室内の湿度が高まった場合に、特定の居室の風量を制御することで湿度を下げることができ、あるいは、特定の居室内で料理などを行い、発生した水分により居室内の湿度が高まった場合に、特定の居室の風量を制御することで急速に湿度を排気することができる住宅用換気システムが得られる。
【００３３】
また、他の手段は、検知装置に、塵埃を検知する塵埃検知部を設けたとしたものである。
【００３４】
この手段により、清掃時に特定の居室内の塵埃量が高まった場合に、特定の居室の風量を制御することで発生した塵埃量を急速に居室外へ排出し、居室内の空気清浄度を高めることができる住宅用換気システムが得られる。
【００３５】
また、他の手段は、風量調節機構を、略振り子状の受風板よりなるとしたものである。
【００３６】
この手段により、ダクト長や曲がり数などに起因する圧力損失、外風圧に影響されず適切な風量を送風することができ、さらに、開閉動作に電力が不要のため省エネ効果を高めることができる住宅用換気システムが得られる。
【００３７】
また、他の手段は、換気装置本体下面に、風量調節機構の操作部を設けたとしたものである。
【００３８】
この手段により、点検口もしくは化粧板を開閉するのみで、居住者が生活に応じ必要な換気風量を各居室毎に容易に適宜調節できる住宅用換気システムが得られる。
【発明の効果】
【００３９】
本発明によれば、複数の居室を有する住宅において、廊下または階段ホールの天井裏に、内部にファンモーターを備えた換気装置を設置し、前記住宅の外壁に排気ダクトを介して前記換気装置と連通する吹き出し口を設け、複数の前記居室に、吸込みダクトを介して前記換気装置と連通する吸込み口と、室外と連通し外気を給気する自然給気口を設けた住宅用換気システムであって、前記吸込みダクトの径を略φ５０ｍｍとし、前記換気装置本体内部に各前記居室毎に風量の調節可能な風量調節機構を設けることにより、集風部材などが不要となり、部材費などのコスト低減ができ、また、各居室へ配設される内径が略φ５０ｍｍのダクトを直接換気装置本体に接続することで施工費が低減できる、また、各居室への風量を均一に確保することや、住宅の吸込みダクト長や曲がり数などに起因する圧力損失に影響されず必要な換気風量を各居室毎に適宜調節できるという効果のある住宅用換気システムを提供できる。
【００４０】
また、風量調節機構を、吸込みダクトを接続する吸込みダクト接続口に設けることにより、吸込み口に風量調節機構を設けた場合は、風量調節機構から発生した騒音が直接室内へ伝わることになるが、換気装置内部に風量調節機構を備えることで直接居室への騒音が伝わることがなくなり、居室内の快適性を向上することができるという効果のある住宅用換気システムを提供できる。
【００４１】
また、風量調節機構を、手動にて可動する手動ダンパーにより吸込み口の開口面積を任意に制御することにより、居住者が生活に応じ必要な換気風量を各居室毎に適宜調節できるという効果のある住宅用換気システムを提供できる。
【００４２】
また、風量調節機構を、電動にて可動する電動ダンパーにより吸込みダクト接続口の開口面積を任意に制御することにより、居住者が生活に応じ必要な換気風量を遠隔操作にて各居室毎に適宜調節できるという効果のある住宅用換気システムを提供できる。
【００４３】
また、風量調節機構を、電動ダンパーの上流側と下流側において検知した空気圧力差により前記電動ダンパーを制御することにより、空気圧力差より求めた風量をもとに電動ダンパーを調節することで、ダクト長や曲がり数などに起因する圧力損失、外風圧に影響されず適切な風量を送風することができるという効果のある住宅用換気システムを提供できる。
【００４４】
また、特定の居室の換気風量を増減した時に換気システムの総風量を自動的に一定に維持できることにより、居住者が特定の居室の風量を増減させた場合でも過度な送風または必要風量を下回る送風をすることなく一定風量で送風を行うため、省エネ効果を高めることができるという効果のある住宅用換気システムを提供できる。
【００４５】
また、居室に設けた人感センサーにより電動ダンパーを制御することで、前記居室の換気風量を増減することにより、居住者が不在の居室の換気風量を抑制させ、居住者が在室の居室に適切な換気を行うことで効果的な換気を行うことができ、結果として、省エネ効果を高めることができるという効果のある住宅用換気システムを提供できる。
【００４６】
また、居室または吸込みダクト接続部に設けた検知装置により電動ダンパーを制御することで、前記居室の換気風量を増減することにより、検知装置の検出値により必要風量を推定し換気風量を制御することで適切な換気を行うことで効果的な換気を行うことができ、結果として、省エネ効果を高めることができるという効果のある住宅用換気システムを提供できる。
【００４７】
また、検知装置に、炭酸ガスを検知する炭酸ガス検知部を設けたことにより、居住者の人数により居室の換気風量を制御することで、適切な換気を行うことで効果的な換気を行うことができ、結果として、省エネ効果を高めることができるという効果のある住宅用換気システムを提供できる。
【００４８】
また、検知装置に、温度を検知する温度検知部を設けたことにより、夏季に日射により特定の居室内の室温が高まった場合に、特定の居室の風量を制御することで室温を下げることができるという効果のある住宅用換気システムを提供できる。
【００４９】
また、検知装置に、湿度を検知する湿度検知部を設けたことにより、梅雨時の湿気により特定の居室内の湿度が高まった場合に、特定の居室の風量を制御することで湿度を下げることができ、あるいは、特定の居室内で料理などを行い、発生した水分により居室内の湿度が高まった場合に、特定の居室の風量を制御することで急速に湿度を排気することができるという効果のある住宅用換気システムを提供できる。
【００５０】
また、検知装置に、塵埃を検知する塵埃検知部を設けたことにより、清掃時に特定の居室内の塵埃量が高まった場合に、特定の居室の風量を制御することで発生した塵埃量を急速に居室外へ排出し、居室内の空気清浄度を高めることができるという効果のある住宅用換気システムを提供できる。
【００５１】
また、風量調節機構を、略振り子状の受風板よりなることにより、ダクト長や曲がり数などに起因する圧力損失、外風圧に影響されず適切な風量を送風することができ、さらに、開閉動作に電力が不要のため省エネ効果を高めることができるという効果のある住宅用換気システムを提供できる。
【００５２】
また、換気装置本体下面に、風量調節機構の操作部を設けたことにより、点検口もしくは化粧板を開閉するのみで、居住者が生活に応じ必要な換気風量を各居室毎に容易に適宜調節できるという効果のある住宅用換気システムを提供できる。
【発明を実施するための最良の形態】
【００５３】
本発明の請求項１記載の住宅用換気システムは、複数の居室を有する住宅において、廊下または階段ホールの天井裏に、内部にファンモーターを備えた換気装置を設置し、前記住宅の外壁に排気ダクトを介して前記換気装置と連通する吹き出し口を設け、複数の前記居室に、吸込みダクトを介して前記換気装置と連通する吸込み口と、室外と連通し外気を給気する自然給気口を設けた住宅用換気システムであって、前記吸込みダクトの径を略φ５０ｍｍとし、前記換気装置本体内部に各前記居室毎に風量の調節可能な風量調節機構を設ける構成とするものであり、集風部材などが不要となり、部材費などのコスト低減ができ、また、各居室へ配設される内径が略φ５０ｍｍのダクトを直接換気装置本体に接続することで施工費が低減できる、また、各居室への風量を均一に確保することや、住宅の吸込みダクト長や曲がり数などに起因する圧力損失に影響されず必要な換気風量を各居室毎に適宜調節できるという作用を有する。
【００５４】
また、請求項２記載の住宅用換気システムは、風量調節機構を、吸込みダクトを接続する吸込みダクト接続口に設ける構成とするものであり、吸込み口に風量調節機構を設けた場合は、風量調節機構から発生した騒音が直接室内へ伝わることになるが、換気装置内部に風量調節機構を備えることで直接居室への騒音が伝わることがなくなり、居室内の快適性を向上することができるという作用を有する。
【００５５】
また、請求項３記載の住宅用換気システムは、風量調節機構を、手動にて可動する手動ダンパーにより吸込み口の開口面積を任意に制御する構成とするものであり、居住者が生活に応じ必要な換気風量を各居室毎に適宜調節できるという作用を有する。
【００５６】
また、請求項４記載の住宅用換気システムは、風量調節機構を、電動にて可動する電動ダンパーにより吸込みダクト接続口の開口面積を任意に制御する構成とするものであり、居住者が生活に応じ必要な換気風量を遠隔操作にて各居室毎に適宜調節できるという作用を有する。
【００５７】
また、請求項５記載の住宅用換気システムは、風量調節機構を、電動ダンパーの上流側と下流側において検知した空気圧力差により前記電動ダンパーを制御する構成とするものであり、空気圧力差より求めた風量をもとに電動ダンパーを調節することで、ダクト長や曲がり数などに起因する圧力損失、外風圧に影響されず適切な風量を送風することができるという作用を有する。
【００５８】
また、請求項６記載の住宅用換気システムは、特定の居室の換気風量を増減した時に換気システムの総風量を自動的に一定に維持できる構成とするものであり、居住者が特定の居室の風量を増減させた場合でも過度な送風または必要風量を下回る送風をすることなく一定風量で送風を行うため、省エネ効果を高めることができるという作用を有する。
【００５９】
また、請求項７記載の住宅用換気システムは、居室に設けた人感センサーにより電動ダンパーを制御することで、前記居室の換気風量を増減する構成とするものであり、居住者が不在の居室の換気風量を抑制させ、居住者が在室の居室に適切な換気を行うことで効果的な換気を行うことができ、結果として、省エネ効果を高めることができるという作用を有する。
【００６０】
また、請求項８記載の住宅用換気システムの発明は、居室または吸込みダクト接続部に設けた検知装置により電動ダンパーを制御することで、前記居室の換気風量を増減する構成とするものであり、検知装置の検出値により必要風量を推定し換気風量を制御することで適切な換気を行うことで効果的な換気を行うことができ、結果として、省エネ効果を高めることができるという作用を有する。
【００６１】
また、請求項９記載の住宅用換気システムは、検知装置に、炭酸ガスを検知する炭酸ガス検知部を設けた構成とするものであり、居住者の人数により居室の換気風量を制御することで、適切な換気を行うことで効果的な換気を行うことができ、結果として、省エネ効果を高めることができるという作用を有する。
【００６２】
また、請求項１０記載の住宅用換気システムは、検知装置に、温度を検知する温度検知部を設けた構成とするものであり、夏季に日射により特定の居室内の室温が高まった場合に、特定の居室の風量を制御することで室温を下げることができるという作用を有する。
【００６３】
また、請求項１１記載の住宅用換気システムは、検知装置に、湿度を検知する湿度検知部を設けた構成とするものであり、梅雨時の湿気により特定の居室内の湿度が高まった場合に、特定の居室の風量を制御することで湿度を下げることができ、あるいは、特定の居室内で料理などを行い、発生した水分により居室内の湿度が高まった場合に、特定の居室の風量を制御することで急速に湿度を排気することができるという作用を有する。
【００６４】
また、請求項１２記載の住宅用換気システムは、検知装置に、塵埃を検知する塵埃検知部を設けた構成とするものであり、清掃時に特定の居室内の塵埃量が高まった場合に、特定の居室の風量を制御することで発生した塵埃量を急速に居室外へ排出し、居室内の空気清浄度を高めることができるという作用を有する。
【００６５】
また、請求項１３記載の住宅用換気システムは、風量調節機構を、略振り子状の受風板よりなる構成とするものであり、ダクト長や曲がり数などに起因する圧力損失、外風圧に影響されず適切な風量を送風することができ、さらに、開閉動作に電力が不要のため省エネ効果を高めることができるという作用を有する。
【００６６】
また、請求項１４記載の住宅用換気システムは、換気装置本体下面に、風量調節機構の操作部を設けた構成とするものであり、点検口もしくは化粧板を開閉するのみで、居住者が生活に応じ必要な換気風量を各居室毎に容易に適宜調節できるという作用を有する。
【００６７】
以下、本発明の実施の形態について、図面を参照しながら説明する。
【００６８】
（実施の形態１）
図１〜図３に示すように、廊下１（または階段ホール）の天井裏に、内部にファンモーター２を備えた換気装置３を設置し、換気装置３は排気ダクト４を介して外壁５に設けた吹き出し口６に接続されている。
【００６９】
また、換気装置３の一方の側面に配置された吸込みダクト接続口７および８に、居室９の天井面１０に設けられた吸込み口１１、１２とダクト内径略φ５０ｍｍの吸込みダクト１３、１４を介して接続されており、換気装置３のもう一方の側面には、吸込みダクト接続口１５、１６に、居室１７、１８の天井面１０に設置された吸込み口１９、２０とダクト内径略φ５０ｍｍの吸込みダクト２１、２２を介して接続されている。また、居室９、１７、１８には、外壁５に室外２３と連通する自然給気口２４、２５、２６が設けられており、吸込み口１１、１２、１９、２０は、居室９、１７、１８の自然給気口２４、２５、２６の位置から対辺もしくは対角部の位置近傍にあり、かつ、天井面１０の換気装置３に近い側の角部もしくは辺部近傍に配置されている。
【００７０】
また、居室９、１７、１８の扉にはアンダーカット（図示せず）を備え、廊下１と居室９、１７、１８の間に換気による圧力差がついた場合にも圧力差を緩和する空気の出入り口となる構成となっている。これにより、各居室からの吸込み風量を均一にするための集風部材などが不要となり、部材費などのコストの低減ができるものである。また、各居室９、１７、１８へ配設される略φ５０ｍｍのダクトを直接換気装置３に接続することで施工費が低減できるものである。
【００７１】
また、吸込みダクト接続口７、８、１５、１６には、各居室９、１７、１８からの吸込風量を各居室経路毎に調節可能な電動ダンパー２７、２８、２９、３０を備えている。この構成により、各電動ダンパー２７、２８、２９、３０の開度を制御することで各居室９、１７、１８への風量を均一に確保することや、住宅の吸込みダクト長や曲がり数などに起因する圧力損失に影響されず必要な換気風量を各居室９、１７、１８毎に適宜調節できる。これにより、例えば、吸込み口１１、１２、１９、２０に風量調節機構を設けた場合は、風量調節機構から発生した騒音が直接居室９、１７、１８内へ伝わる事になるが、換気装置３内部に電動ダンパー２７、２８、２９、３０を備えることで、直接居室９、１７、１８へ騒音が伝わる事がなくなり居室９、１７、１８内の快適性を向上することができる。
【００７２】
また、電動ダンパー２７、２８、２９、３０の上流側と下流側の差圧を検知する圧力検知部３１を設けている。この構成により、検知した差圧により電動ダンパー２７、２８、２９、３０を調節することで、ダクト長や曲がり数などに起因する圧力損失、外風圧に影響されず適切な風量を常時、正確に送風することができる。
【００７３】
また、吸込みダクト接続口７、８、１５、１６に炭酸ガス検知部３２ａ、温度検知部３２ｂ、湿度検知部３２ｃおよび塵埃検知部３２ｄからなる検知装置３３を備えている。これらの構成により、居住者の人数により炭酸ガス濃度を炭酸ガス検知部３２ａ検知し、居室９、１７、１８の換気風量を在室人数に応じ調節することで省エネ効果を考慮した効果的な換気を行うことができる。
【００７４】
また、夏季の日射による居室９、１７、１８の室温の上昇を温度検知部３２ｂにより検知し、居室９、１７、１８の室温に応じ風量を制御することで室温を下げることができる。
【００７５】
また、梅雨時の湿気による居室９、１７、１８内の湿度上昇を湿度検知部３２ｃにより検知し、居室９、１７、１８の風量を増加することで当該居室９、１７、１８の湿度を下げることができる。
【００７６】
また、特定の居室９、１７、１８内で料理などを行い、発生した水分により居室９、１７、１８内の湿度が高まった場合も同様に、湿度検知部３２ｃにより当該居室９、１７、１８の風量を制御することで迅速に湿度を排気することができる。
【００７７】
また、清掃時に発生する空気の攪拌伴い、居室９、１７、１８内の塵埃量が高まった場合、塵埃検知部３２ｄにより検知し当該居室９、１７、１８の風量を制御することで発生した塵埃を迅速に居室９、１７、１８外へ排出することで居室９、１７、１８内の空気の清浄度を高めることができる。
【００７８】
また、各居室９、１７、１８には人感センサー３４を備えている。この構成により、朝方や、夕方など食事時にリビングに居住者の在室数が増加した場合、当該リビングの換気風量を適宜増加させ、居住者が不在の居室の換気風量は抑制することで、居住者が在室の居室に効果的な換気を行うことができる。これにより、住宅総換気風量を一時的に増加させることなく、常時一定に維持することで住宅全体の省エネルギーを実現できる。
【００７９】
（実施の形態２）
図４および図５に示すように、換気装置３の吸込みダクト接続口７、８、１５、１６には、各居室からの吸込風量を居室経路毎に調節可能な手動ダンパー３５を備え、換気装置３の下方に位置する天井１０には点検口３６を備えた構成とする。この構成により、居住者が点検口３６を開閉するのみで、生活に必要な換気風量を居室毎に容易に適宜調節できる。また、手動ダンパー３５などの操作部３７などが本体下面に配置していることにより、機器の風量設定変更が容易である。なお、操作部３７は手動ダンパー３５に限らず、例えば電動ダンパー２７の風量設定操作用または検知装置３３の検出値設定操作用として使用しても同様の効果を有する。
【００８０】
（実施の形態３）
図６に示すように、換気装置３の吸込みダクト接続口７、８、１５、１６には、所定量の通風時には自身の屈曲した受風板３８により確保された開口部３９を通風路として作用し、通風量が所定量を超えると、自身の屈曲した受風板が開口部３９を遮蔽する振り子ダンパー部４０を備えている。この構成により各吸込み口の換気風量を一定に維持するために、電動ダンパーなどの機能部品が不要となるばかりでなく、このような機構により、突発的な外風圧に対し、敏感に通風路を制御できることとなるので、差圧検知部なども不要となり、省エネの実現や換気装置３のコストを抑制することができる。
【産業上の利用可能性】
【００８１】
本発明にかかる住宅用換気システムは、各居室への風量を生活環境に応じて必要な換気風量を適宜調節できる構成によって、ダクトを介して複数の部屋の換気を行うビル等の商用建物の換気システムにも適応できる。
【図面の簡単な説明】
【００８２】
【図１】本発明の実施の形態１の住宅用換気システムの住宅への設置状態を示す平面図
【図２】同住宅用換気システムの換気装置を示す平面構成図
【図３】同住宅用換気システムの換気装置を示す側面構成図
【図４】本発明の実施の形態２の住宅用換気システムの換気装置の手動ダンパーを示す平面構成図
【図５】同住宅用換気システムの換気装置の手動ダンパーを示す側面構成図
【図６】本発明の実施の形態３の住宅用換気システムの換気装置の振り子ダンパーを示す側面構成図
【図７】従来の住宅用換気システムの住宅への設置状態を示す立面投視図
【符号の説明】
【００８３】
１      廊下
２      ファンモーター
３      換気装置
４      排気ダクト
５      外壁
６      吹き出し口
７      吸込みダクト接続口
８      吸込みダクト接続口
９      居室
１１    吸込み口
１２    吸込み口
１３    吸込みダクト
１４    吸込みダクト
１５    吸込みダクト接続口
１６    吸込みダクト接続口
１７    居室
１８    居室
１９    吸込み口
２０    吸込み口
２１    吸込みダクト
２２    吸込みダクト
２３    室外
２４    自然給気口
２５    自然給気口
２６    自然給気口
２７    電動ダンパー
２８    電動ダンパー
２９    電動ダンパー
３０    電動ダンパー
３２ａ  炭酸ガス検知部
３２ｂ  温度検知部
３２ｃ  湿度検知部
３２ｄ  塵埃検知部
３３    検知装置
３４    人感センサー
３５    手動ダンパー
３７    操作部
３８    受風板
３９    開口部
４０    振り子ダンパー部
【図１】
2007212026.tif 000003
【図２】
2007212026.tif 000004
【図３】
2007212026.tif 000005
【図４】
2007212026.tif 000006
【図５】
2007212026.tif 000007
【図６】
2007212026.tif 000008
【図７】
2007212026.tif 000009